(57)【要約】【課題】１個の貯蔵量検出機構を右傾斜のタンクと左傾斜のタンクとの双方に使用可能とする。【解決手段】右傾斜のタンク７では、貯蔵量検出機構２１のセンサブラケット２３がタンク７の後側壁１１に装着され、タンク７の左側壁１２と後側壁１１との連接される左後隅部に貯蔵量検出機構２１が取り付けられ、貯蔵量検出機構２１の球感知板２５が右側を向くように収容室８の内部に配置され、左傾斜のタンク１４では、アタッチメントブラケット２９がタンク１４の右側壁１９に装着され、センサ取付片２８とタンク１４の前側壁１８との間に形成されたブラケット挿入空間３０を利用して、貯蔵量検出機構２１のセンサブラケット２３がセンサ取付片２８に装着され、タンク１４の前側壁１８と右側壁１９との連接部分である右前隅部に貯蔵量検出機構２１が取り付けられ、貯蔵量検出機構２１の球感知板２５が左側を向くように収容室１５の内部に配置される。【選択図】図１
2005334404.tif 000002
【特許請求の範囲】
【請求項１】
右傾斜のタンクまたは左傾斜のタンクが遊技機枠の裏面上部に設けられ、右傾斜のタンクにおける遊技店の遊技機設置設備の補給系統から供給される球を貯蔵する収納室を形成する後側壁には貯蔵量検出機構のスイッチ容器に設けられたセンサブラケットが装着されることによって、右傾斜のタンクにおける収納室を形成する左側壁と後側壁とが連接される左後隅部には右傾斜のタンクにおける球の貯蔵量を検出するために貯蔵量検出機構が取り付けられ、貯蔵量検出機構の球感知板が右側を向くように右傾斜におけるタンクの収容室の内部に配置される一方、左傾斜のタンクにおける遊技店の遊技機設置設備の補給系統から供給される球を貯蔵する収納室を形成する右側壁に沿うアタッチメント本体の前端部から左側に延びて左傾斜のタンクの収納室を形成する前側壁に沿うセンサ取付片とアタッチメント本体から右外側に突出するアタッチメントブラケットとを備えたアタッチメントのアタッチメントブラケットが左傾斜のタンクの右側壁に装着されることによって、センサ取付片と左傾斜のタンクにおける前側壁との間にはブラケット挿入空間が形成され、このブラケット挿入空間を利用して、上記貯蔵量検出機構のスイッチ容器に設けられたセンサブラケットがセンサ取付片に装着されることによって、左傾斜のタンクにおける収納室を形成する前側壁と右側壁との連接部分である右前隅部には、上記右傾斜のタンクに用いられた貯蔵量検出機構が取り付けられ、その貯蔵量検出機構の球感知板が左側を向くように収容室の内部に配置されたことを特徴とする遊技機のタンク貯蔵量検出装置。
【発明の詳細な説明】
【技術分野】
【０００１】
本発明は、遊技機枠の裏面上部に設けられたタンクにおける球を左側から右側に誘導する右傾斜と右側から左側に誘導する左傾斜との構造の違いに合わせて１個の貯蔵量検出機構がタンクの内部の球を収容する収容室に適切に取り付けられる遊技機のタンク貯蔵量検出装置に関する。
【背景技術】
【０００２】
球を遊技媒体として使用するパチンコ機やスロットマシンなどの遊技機にあっては、遊技機の設置される遊技店における島と呼ばれる遊技機設置設備の補給系統から供給される球を受け取るタンクが、遊技機枠の裏面上部に設けられている。タンクに受け取られた球が、遊技機枠の裏側に設けられた払出機構によって、遊技機枠の前側に設けられた皿装置に払い出される。そして、タンクにおける球の貯蔵量が減少すると、球が補給系統からタンクに再び供給される。このようなことから、タンクには、遊技店の希望で、貯蔵量検出機構が設けられることがある。貯蔵量検出機構は、タンクにおける球の貯蔵量が払出機構に供給不足とならない程度に減少したことを検出することによって、球補給信号を、遊技機設置設備に設けられた補給系統や表示器となどを管理する島コンピュータと呼ばれる島管理装置に出力する。球補給信号を受け取った島管理装置が補給系統を駆動し、補給系統が球をタンクに供給する。しかしながら、タンクには、収容室に貯蔵された球を払出機構に排出するために、収容室の底面が左側から右側に誘導する右傾斜に形成された構造と、収容室の底面が右側から左側に誘導する左傾斜に形成された構造とが混在する。収容室の底面が右傾斜に形成されているタンクの場合、貯蔵量検出機構は収容室を形成する左側壁と後側壁との連接部分である左後隅部に設けられる。収容室の底面が左傾斜に形成されているタンクの場合、貯蔵量検出機構は収容室を形成する右側壁と前側壁との連接部分である右前隅部に設けられる。そして、右傾斜のタンクに取り付ける貯蔵量検出機構と左傾斜のタンクに取り付ける貯蔵量検出機構とを個別に作ることも考えられる。けれども、貯蔵量検出機構は、遊技機設置設備に搭載された多数の遊技機から島管理装置に個別の配線で接続されている。しかも、遊技機設置設備の１つの場所から右傾斜のタンクを備えた遊技機を取り外し、その場所に左傾斜のタンクを備えた遊技機を上記右傾斜のタンクを備えた遊技機に置換して設置することがある。このような場合、右傾斜のタンクに取り付けられた貯蔵量検出機構を左傾斜のタンクに取り付けられた貯蔵量検出機構に置換する必要がある。このように、貯蔵量検出機構を置換する場合、貯蔵量検出機構と島管理装置とを接続している配線の接続もしなおさなければならないので、にわかに採用しがたい。
【特許文献１】特開２０００−２３７４１８号公報
【特許文献２】特開２００３−２８４８４５号公報
【発明の開示】
【発明が解決しようとする課題】
【０００３】
発明が解決しようとする問題点は、１個の貯蔵量検出機構を右傾斜のタンクと左傾斜のタンクとの双方に使えないという点である。
【課題を解決するための手段】
【０００４】
本発明に係る遊技機のタンク貯蔵量検出装置は、右傾斜のタンクまたは左傾斜のタンクが遊技機枠の裏面上部に設けられ、右傾斜のタンクにおける遊技店の遊技機設置設備の補給系統から供給される球を貯蔵する収納室を形成する後側壁には貯蔵量検出機構のスイッチ容器に設けられたセンサブラケットが装着されることによって、右傾斜のタンクにおける収納室を形成する左側壁と後側壁とが連接される左後隅部には右傾斜のタンクにおける球の貯蔵量を検出するために貯蔵量検出機構が取り付けられ、貯蔵量検出機構の球感知板が右側を向くように右傾斜におけるタンクの収容室の内部に配置される一方、左傾斜のタンクにおける遊技店の遊技機設置設備の補給系統から供給される球を貯蔵する収納室を形成する右側壁に沿うアタッチメント本体の前端部から左側に延びて左傾斜のタンクの収納室を形成する前側壁に沿うセンサ取付片とアタッチメント本体から右外側に突出するアタッチメントブラケットとを備えたアタッチメントのアタッチメントブラケットが左傾斜のタンクの右側壁に装着されることによって、センサ取付片と左傾斜のタンクにおける前側壁との間にはブラケット挿入空間が形成され、このブラケット挿入空間を利用して、上記貯蔵量検出機構のスイッチ容器に設けられたセンサブラケットがセンサ取付片に装着されることによって、左傾斜のタンクにおける収納室を形成する前側壁と右側壁との連接部分である右前隅部には、上記右傾斜のタンクに用いられた貯蔵量検出機構が取り付けられ、その貯蔵量検出機構の球感知板が左側を向くように収容室の内部に配置されたことを最も主要な特徴とする。
【発明の効果】
【０００５】
本発明に係る遊技機のタンク貯蔵量検出装置は、遊技店における遊技機設置設備の１つの場所から右傾斜のタンクを備えた遊技機枠を取り外し、その場所に左傾斜のタンクを備えた遊技機枠を上記右傾斜のタンクを備えた遊技機枠に置換して設置する場合、右傾斜のタンクに取り付けられていた貯蔵量検出機構と島管理装置とを接続している配線をそのままの状態とし、右傾斜のタンクから貯蔵量検出機構を取り外し、その取り外した貯蔵量検出機構をアタッチメントで左傾斜のタンクの右前隅部に取り付けることによって、１個の貯蔵量検出機構を右傾斜のタンクと左傾斜のタンクとの双方に使用することができるという利点がある。
【発明を実施するための最良の形態】
【０００６】
図１−図４は、発明を実施するための最良の形態である。図１のａ図は、パチンコ機の貯蔵量検出装置における右傾斜のタンク７を有する遊技機枠１と貯蔵量検出機構２１とを分解した外観を示す。図１のｂ図は、図１のａ図におけるタンク７に貯蔵量検出機構２１を取り付けた平面を示す。図１のｃ図は、パチンコ機の貯蔵量検出装置における左傾斜のタンク１４を有する遊技機枠１と貯蔵量検出機構２１とを分解した外観を示す。図１のｄ図は、図１のｃ図におけるタンク１４に貯蔵量検出機構２１を取り付けた平面を示す。図２のａ図は、貯蔵量検出機構２１およびアタッチメント２６を分解して裏側から見た外観を示す。図２のｂ図は、貯蔵量検出機構２１およびアタッチメント２６を互いに組み立てて裏側から見た外観を示す。図３のａ図は、貯蔵量検出機構２１およびアタッチメント２６を分解して前側から見た外観を示す。図３のｂ図は、貯蔵量検出機構２１およびアタッチメント２６を互いに組み立てて前側から見た外観を示す。図４は、左傾斜のタンク１４に貯蔵量検出機構２１をアタッチメント２６で取り付けた断面を示す。この明細書において、「前」、「後」、「裏」、「左」、「右」、「上」、「下」の方向は、図１の状態に遊技機枠１を置いて前側から見た場合に特定される方向である。「後」と「裏」とは同じ方向である。
【０００７】
図１を参照し、パチンコ機のタンク貯蔵量検出装置について説明する。図１のａ図およびｃ図において、パチンコ機の遊技機枠１は、外枠と呼ばれる固定枠２と前枠または中間枠と呼ばれる開閉枠３とを備える。固定枠２は、前後方向に貫通する四角形な開口を囲む額縁状であって、遊技機設置設備に取り付けられる枠である。固定枠２と開閉枠３とは互いに左側のヒンジ４で開閉可能に取り付けられる。開閉枠３は、図外の遊技盤、図外の皿装置、図外のパネル枠、タンク７または図１のｃ図およびｄ図に示すタンク１４、図外の払出機構、図外の発射機構などの機能部品を取り付ける枠である。開閉枠３は、前後方向に貫通する四角形の開口を囲む額縁状である。開閉枠３の裏面には、遊技盤を収納する部屋を形成するリアプレート５が設けられる。リアプレート５には、上記部屋に格納された遊技盤の裏面に取り付けられた図外の制御装置や図外の集合樋などの裏側部品を取り込む中央開口６が形成される。集合樋は、入賞部品によって遊技盤の前面である遊技領域から遊技盤の裏面に排出された球を遊技機設置設備の捕集系統に排出する部品である。
【０００８】
図１のａ図およびｂ図において、タンク７は、上方に開放された収容室８を備え、中央開口６よりも上方に位置するようにリアプレート５の裏面に取り付けられる。タンク７には、球排出口９が、収容室８の底面１０の右側に設けられる。球排出口９は、収容室８に貯蔵された球を収容室８から払出機構に排出する貫通孔である。収容室８の底面１０は、収容室８に貯蔵された球を左側から球排出口９に向けて流下させる斜面になっている。つまり、収容室８の底面１０は、収容室８に収容された球を左側から右側に誘導する右傾斜の構造である。タンク７の収容室８を形成する後側壁１１と左側壁１２との連接部分である左後隅部には、貯蔵量検出機構２１が着脱可能に設けられる。貯蔵量検出機構２１は、立方形または直方形なる角形のスイッチ容器２２にセンサブラケット２３と突当体２４と球感知板２５とを備える。スイッチ容器２２におけるセンサブラケット２３の側に位置する面とセンサブラケット２３との間に形成された隙間がタンク７の上方から後側壁１１に嵌め込まれると、センサブラケット２３の弾性によって、スイッチ容器２２とセンサブラケット２３とがタンク７の後側壁１１を前後方向で挟み付ける。このようにセンサブラケット２３がタンク７の後側壁１１に装着されるのに伴い、突当体２４がタンク７の左側壁１２の上面に上方から突き当てられる。これによって、図１のｂ図に示すように、貯蔵量検出機構２１がタンク７の左側壁１２と後側壁１１との連接される左後隅部に取り付けられ、球感知板２５が右側を向くように収容室８の内部に配置される。
【０００９】
図１のｃ図およびｄ図において、タンク１４は、上方に開放された収容室１５を備え、中央開口６よりも上方に位置するようにリアプレート５の裏面に取り付けられる。タンク１４には、球排出口１６が、収容室１５の底面１７の右側に設けられる。球排出口１６は、収容室１５に貯蔵された球を収容室１５から払出機構に排出する貫通孔である。収容室１５の底面１７は、収容室１５に貯蔵された球を右側から球排出口１６に向けて流下させる斜面になっている。つまり、収容室１５の底面１７は、収容室１５に収容された球を右側から左側に誘導する左傾斜の構造である。タンク１４の収容室１５を形成する前側壁１８と右側壁１９との連接部分である右前隅部には、貯蔵量検出機構２１がアタッチメント２６で着脱可能に設けられる。アタッチメント２６は、タンク１４の右側壁１９に沿うアタッチメント本体２７の前端部から左側に延びてタンク１４の前側壁１８に沿うセンサ取付片２８を備え、アタッチメント本体２７から右外側に突出するアタッチメントブラケット２９を備える。
【００１０】
そして、アタッチメント本体２７とアタッチメントブラケット２９との間に形成された隙間がタンク１４の上方から右側壁１９に嵌め込まれると、アタッチメントブラケット２９の弾性によって、アタッチメント本体２７とアタッチメントブラケット２９とがタンク１４の右側壁１９を左右方向で挟み付ける。このようにアタッチメントブラケット２９がタンク１４の右側壁１９に装着されるのに伴い、アタッチメント２６のセンサ取付片２８がタンク１４の前側壁１８の裏面（収容室１５の側に位置する面）に沿わされる。これによって、アタッチメント２６のセンサ取付片２８とタンク１４の前側壁１８との間には、センサブラケット２３を収容するブラケット挿入空間３０が形成される。
【００１１】
アタッチメント２６には、遊技機枠１を上から見て、貯蔵量検出機構２１が図１のａ図およびｂ図に示す状態から水平面内で１８０度回転された状態となって図１のｃ図およびｄ図に示すように装着される。スイッチ容器２２におけるセンサブラケット２３の側に位置する面とセンサブラケット２３との間の隙間がアタッチメント２６の上方からセンサ取付片２８に嵌め込まれることによって、センサブラケット２３がブラケット挿入空間３０に収容されつつ、センサブラケット２３の弾性によって、スイッチ容器２２とセンサブラケット２３とがアタッチメント２６のセンサ取付片２８を前後方向で挟み付ける。このようにセンサブラケット２３がセンサ取付片２８に装着されるのに伴い、突当体２４がアタッチメント２６のアタッチメント本体２７の上面５３（図２のａ図参照）に上方から突き当てられる。これによって、貯蔵量検出機構２１がタンク１４の右側壁１９と前側壁１８との連接される右前隅部に取り付けられ、球感知板２５が左側に向くように収容室１５の内部に配置される。
【００１２】
図２を参照し、貯蔵量検出機構２１およびアタッチメント２６について説明する。図２のａ図において、貯蔵量検出機構２１のスイッチ容器２２には、検出スイッチ３３が内蔵される。球感知板２５の上部は、スイッチ容器２２の上部に、軸３４で、回転可能に取り付けられる。球感知板２５が図外のばねでスイッチ容器２２から離れる方向に付勢され、球感知板２５の下部が球感知板２５の上部よりも外側に突出すると、検出スイッチ３３がオフ動作からオン動作に切り替わり、球補給信号を出力する。その状態において、球感知板２５が図１の収容室８または収容室１５に貯蔵された球で矢印Ｘ方向に押し動かされると、検出スイッチ３３がオン動作からオフ動作に切り替わり、球補給信号の出力を停止する。検出スイッチ３３は、マイクロスイッチのような接触形または光を電気信号に変換して出力する非接触形であってもよい。検出スイッチ３３が接触形の場合、上記球感知板２５を押すばねは検出スイッチ３３に内蔵されたばねにより形成してもよい。検出スイッチ３３が非接触形の場合、上記球感知板２５を押すばねは検出スイッチ３３と別に形成される。スイッチ容器２２における球感知板２５の反対側に位置する１つの側面３５には、ステンレスのような金属製の支持体３６が固定される。支持体３６の下部には、障壁３７が設けられる。障壁３７は、支持体３６のスイッチ容器２２よりも下方に突出した下部から球感知板２５の側に折り曲げられ、スイッチ容器２２および球感知板２５から離れている。障壁３７とスイッチ容器２２との間の隙間、障壁３７と球感知板２５との間の隙間は、図１のａ図およびｂ図に示す収容室８または図１のｃ図およびｄ図に示す収容室１５に貯蔵された球が入らないように、１個の球の直径よりも小さい。
【００１３】
センサブラケット２３は、スイッチ容器２２の１つの側面３５と当該１つの側面３５から球感知板２５の方向に折り曲げられたもう１つの側面３８とに装着されるブラケット本体４０を備える。ブラケット本体４０におけるスイッチ容器２２の１つの側面３５に装着される固定片４１は、支持体３６とスイッチ容器２２との間に上方から挿入され、スイッチ容器２２または支持体３６に装着される。固定片４１の上部には、突当体２４が、固定片４１の上部からスイッチ容器２２の反対側に折り曲げられて外側に突出する。ブラケット本体４０におけるスイッチ容器２２のもう１つの側面３８に装着される固定片４２には、センサブラケット２３が設けられる。センサブラケット２３は、固定片４２の上部からスイッチ容器２２の反対側に折り曲げられた横片４３と、横片４３の先端から下方に折り曲げられた縦片４４と、ブラケット本体４０の固定片４２とによって、下方および球感知板２５の動く方向と平行な方向に開放された溝を形成する。
【００１４】
縦片４４には上・下係合部４５；４６が設けられる。上係合部４５は、縦片４４の中間部において、球感知板２５の動く方向と平行な方向で相対峙する２つのスリット４７；４８と、当該２つのスリット４７；４８の下部をつなぐ１つのスリット４９とによって、球感知板２５の動く方向と平行な方向の部分と下部とが縦片４４から切り離された四角形な板状であって、当該板状の下部から固定片４２に近づくように内側に折り曲げられた部分と、当該部分の下端から固定片４２から離れるように外側に折り曲げられた部分とを備える。下係合部４６は、縦片４４の下部から固定片４２に近づくように内側に折り曲げられた部分と、当該部分の下端から固定片４２から離れるように外側に折り曲げられた部分とから構成される。センサブラケット２３とブラケット本体４０および突当体２４は、ステンレスのような金属により一体に形成される。
【００１５】
アタッチメント２６は、合成樹脂により、アタッチメント本体２７とアタッチメントブラケット２９およびセンサ取付片２８を、一体に備えた構造である。アタッチメントブラケット２９は、アタッチメント本体２７の上部からセンサ取付片２８の反対側で下方に向け外側に突出する弧状に延びており、アタッチメント本体２７とによって、下方および前後方向に開放された溝を形成する。アタッチメントブラケット２９の下部は、アタッチメント本体２７から離れるように外側に折り曲げられた接触部を形成する。アタッチメント本体２７の上面５３とセンサ取付片２８の上面５４とは、同一の水平面内に位置する。センサ取付片２８の下面５５は、アタッチメント本体２７から離れる方向に行くにしたがって徐々に下方に傾斜する斜面になっている。つまり、センサ取付片２８は、アタッチメント本体２７から離れるにしたがって上下寸法が大きくなる。センサ取付片２８の前面には、左・右突起５６；５７が前側に突出する。左・右突起５６；５７が図１のｃ図およびｄ図に示すタンク１４の前側壁１８に接触することによって、左・右突起５６；５７の間には、センサ取付片２８とタンク１４の前側壁１８との間に、センサブラケット２３の挿入される空間として図１のｄ図に示すブラケット挿入空間３０が形成される。
【００１６】
そして、センサブラケット２３がセンサ取付片２８における左・右突起５６；５７の間における部分に位置し、ブラケット本体４０の固定片４２がセンサ取付片２８のアタッチメント本体２７の側に位置する面に位置し、スイッチ容器２２や支持体３６およびブラケット本体４０がアタッチメント本体２７とセンサ取付片２８とで囲まれる内側に位置するように、センサ取付片２８がセンサブラケット２３と固定片４２との間の隙間に挿入され、下係合部４６がセンサブラケット２３の横片４３との連接部分を支点とした縦片４４の弾性で外側に広がり、上係合部４５が縦片４４との連接部分を支点とした弾性で外側に広がり、固定片４２とセンサブラケット２３とがセンサ取付片２８を前後方向で挟み付け、支持体３６がアタッチメント本体２７の内側面に接触し、突当体２４がアタッチメント本体２７の上面５３に上方から突き当てられることによって、貯蔵量検出機構２１がアタッチメント２６に図２のｂ図に示すように取り付けられる。
【００１７】
図３を参照し、センサ取付片２８における左・右突起５６；５７の周りの構造について説明する。図３のａ図に示すように、センサ取付片２８と左・右突起５６；５７とが互いにリブ５８で結合される。センサ取付片２８の下部には、下壁５９が、センサ取付片２８から前側に突出する。したがって、図３のｂ図に示すように、センサブラケット２３がセンサ取付片２８に取り付けられた場合、センサブラケット２３が左・右突起５６；５７の前面および下壁５９の前面よりも前側に突出しない。
【００１８】
図４を参照し、貯蔵量検出機構２１が右傾斜のタンク１４の右前隅部にアタッチメント２６で取り付けられた構造について説明する。アタッチメント２６がアタッチメントブラケット２９でタンク１４の右側壁１９に取り付けられ、貯蔵量検出機構２１のセンサブラケット２３がアタッチメント２６のセンサ取付片２８に取り付けられると、貯蔵量検出機構２１の障壁３７や球感知板２５がタンク１４の底面１７から収容室１５における１個の球Ｐの直径よりも小寸法だけ離れる。そして、収容室１５における球Ｐの貯蔵量が多量の場合は、球Ｐが球感知板２５を矢印Ｘ方向に押し動かすことによって、検出スイッチ３３が球補給信号の出力を停止する。その後、収容室１５における球Ｐの貯蔵量が減少し、球Ｐによる球感知板２５の押圧力が低下し、球感知板２５がばねでスイッチ容器２２から離れる方向に図示のように押し動かされると、検出スイッチ３３が球補給信号を出力する。
【００１９】
この最良の形態の構造によれば、図１のａ図およびｂ図に示すように、遊技機枠１が右傾斜のタンク７を有する場合には、貯蔵量検出機構２１がセンサブラケット２３でタンク７の左側壁１２と後側壁１１との連接される左後隅部に取り付けられ、球感知板２５がスイッチ容器２２の右側に向くように収容室８の内部に配置される。そして、図１のｃ図およびｄ図に示すように、遊技機枠１が左傾斜のタンク１４を有する場合には、貯蔵量検出機構２１がアタッチメント２６とセンサブラケット２３とでタンク１４の右側壁１９と前側壁１８との連接される右前隅部に取り付けられ、球感知板２５がスイッチ容器２２の右側に向くように収容室１５の内部に配置される。即ち、遊技店における遊技機設置設備の１つの場所から右傾斜のタンク７を備えた遊技機枠１を取り外し、その場所に左傾斜のタンク１４を備えた遊技機枠１を上記右傾斜のタンク７を備えた遊技機枠１に置換して設置する場合、右傾斜のタンク７に取り付けられていた貯蔵量検出機構２１と島管理装置とを接続している配線をそのままの状態とし、右傾斜のタンク７から貯蔵量検出機構２１を取り外し、その取り外した貯蔵量検出機構２１をアタッチメント２６で左傾斜のタンク１４の右前隅部に取り付ければよい。したがって、１個の貯蔵量検出機構２１を右傾斜のタンク７と左傾斜のタンク１４との双方に使用することができるという利点がある。
【００２０】
センサ取付片２８が左・右突起５６；５７を備えているので、アタッチメント２６のアタッチメントブラケット２９がタンク１４の右側壁１９に装着されると、アタッチメント２６のセンサ取付片２８とタンク１４の前側壁１８との間にブラケット挿入空間３０が形成される。よって、貯蔵量検出機構２１のセンサブラケット２３をブラケット挿入空間３０に挿入しつつアタッチメント２６のセンサ取付片２８に取り付けることができるという利点がある。センサ取付片２８の下面５５がアタッチメント本体２７から離れる方向に行くにしたがって徐々に下方に傾斜する斜面になっているので、アタッチメント２６がタンク１４の右前隅部に取り付けられた場合、センサ取付片２８の下面５５をタンク１４の底面１７に接触させることによって、アタッチメント２６が上下にふらつくことなくタンク１４に適切に取り付けられるという利点がある。
【産業上の利用可能性】
【００２１】
図５に示すように、アタッチメントブラケット２９の接触部にゴムまたは合成樹脂からなる弾性を有する緩衝体６１を固定し、緩衝体６１がタンク１４の右側壁１９に接触させれば、アタッチメントブラケット２９の右側壁１９を一層強く挟み持つことができるという利点がある。
【００２２】
図６に示すように、アタッチメントブラケット２９のアタッチメント本体２７を前後方向に伸縮可能な構造とすれば、アタッチメントブラケット２９の右側壁１９に対する支持力を向上することができるという利点がある。アタッチメントブラケット２９が前側アタッチメントブラケット６３と後側アタッチメントブラケット６４とに分割され、アタッチメント本体２７が前側アタッチメント本体６５と後側アタッチメント本体６６とに分割される。前側アタッチメント本体６５は、前側アタッチメントブラケット６３と前側連結体６７と案内溝６８とを備える。前側連結体６７は、前側アタッチメントブラケット６３におけるセンサ取付片２８の側に位置する面で上下に位置し、当該面からセンサ取付片２８の側に突出する。前側連結体６７の上下方向で相対峙する面には、鋸歯状の爪６９が突出する。案内溝６８は、前側連結体６７の後端部に設けられる。後側アタッチメント本体６６は、センサ取付片２８と後側アタッチメントブラケット６４と後側連結体７０とを備える。後側連結体７０は、後側アタッチメント本体６６の前端部から前側に突出した上下に相対峙する２本の棒状である。後側連結体７０の上下方向で相対峙する面の前端部には、爪６９の個数よりも少ない個数の爪７１が突出する。爪７１の個数は、少なくとも上下にそれぞれ１個有ればよい。
【００２３】
そして、図６のａ図に示すように、後側連結体７０が案内溝６８を経由して前側連結体６７の間に挿入され、前側アタッチメントブラケット６３の後端部と後側アタッチメントブラケット６４の前端部とが互いに接触し、後側連結体７０が自身の弾性で上下方向に広がり、爪７１が前端部の爪６９に係合することによって、アタッチメント本体２７の前後方向の長さが最小となる。その状態において、図６のｂ図に示すように、人が後側連結体７０を上下方向に縮めて、上記爪７１と爪６９との係合を解除したまま、後側アタッチメントブラケット６４を矢印Ｙ方向に移動する。次に、図６のｃ図に示すように、後側アタッチメントブラケット６４が前側アタッチメントブラケット６３から離れた位置で、上記人による後側連結体７０への上下方向に縮める力を後側連結体７０から解除すると、後側連結体７０が自身の弾性で上下方向に広がり、爪７１が爪６９に係合することによって、アタッチメント本体２７の前後方向の長さが長くなる。爪７１が後端部の爪６９に係合することによって、アタッチメント本体２７の前後方向の長さが最大となる。このように、アタッチメント本体２７の前後方向の長さが長くなることによって、前側アタッチメントブラケット６３と後側アタッチメントブラケット６４とが右側壁１９を前後方向で広い間隔で支持し、前側アタッチメントブラケット６３と後側アタッチメントブラケット６４とよる右側壁１９に対する支持力が高くなる。
【００２４】
図示は省略するが、センサ取付片２８から左・右突起５６；５７を除去し、センサ取付片２８にブラケット挿入空間３０に相当するブラケット挿入孔を形成してもよい。遊技機は、遊技媒体として球を用いるスロットマシンでもよい。
【図面の簡単な説明】
【００２５】
【図１】ａ図は右傾斜のタンクを有する遊技機枠と貯蔵量検出機構とを示す分解斜視図、ｂ図はａ図のタンクに貯蔵量検出機構を取り付けた平面図、ｃ図は左傾斜のタンクを有する遊技機枠と貯蔵量検出機構とを示す分解斜視図、ｄ図はｃ図のタンクに貯蔵量検出機構を取り付けた平面図（最良の形態）。
【図２】ａ図は貯蔵量検出機構およびアタッチメントを裏側から示す分解斜視図、ｂ図は貯蔵量検出機構およびアタッチメントを裏側から示す組立斜視図（最良の形態）。
【図３】ａ図は貯蔵量検出機構およびアタッチメントを前側から示す分解斜視図、ｂ図は貯蔵量検出機構およびアタッチメントを前側から示す組立斜視図（最良の形態）。
【図４】左傾斜のタンクへの貯蔵量検出機構の取付構造の断面図（最良の形態）。
【図５】左傾斜のタンクへの貯蔵量検出機構の取付構造の断面図（別の形態）。
【図６】アタッチメントを示す側面図（別の形態）。
【符号の説明】
【００２６】
１    遊技機枠
７    右傾斜のタンク
８    右傾斜のタンクの収納室
１１  右傾斜のタンクの後側壁
１２  右傾斜のタンクの左側壁
１４  左傾斜のタンク
１５  左傾斜のタンクの収納室
１８  左傾斜のタンクの前側壁
１９  左傾斜のタンクの右側壁
２１  貯蔵量検出機構
２２  スイッチ容器
２３  センサブラケット
２５  球感知板
２６  アタッチメント
２７  アタッチメント本体
２８  センサ取付片
２９  アタッチメントブラケット
３０  ブラケット挿入空間
【図１】
2005334404.tif 000003
【図２】
2005334404.tif 000004
【図３】
2005334404.tif 000005
【図４】
2005334404.tif 000006
【図５】
2005334404.tif 000007
【図６】
2005334404.tif 000008